(57)【要約】      （修正有）【課題】障子の開閉側縦框の見込み方向および見付け方向の幅寸法を小さくし得る部品点数の少ない組付けの容易なグレモン錠の取付装置を提供する。【解決手段】障子１１の開閉側縦框１４ａの見付け方向外面に形成された上下方向に長いガイド溝２２内に、窓枠の縦枠２内面に取付けられた受金具に対して係脱可能な係合ピンを両端部に有するスライドバー３２をスライド自在に嵌合し、そのスライドバー３２の長さ方向中央部に連結されたスライダ３５に、スライドバー３２を貫通して、ガイド溝２２の閉塞端壁に形成された縦長孔２４に挿入される二股片３７を設ける。台座の室内側面に設けられたレバーハンドル３１に、上記台座およびパネル保持部２０の室内側壁を貫通するハンドル軸４０を設け、ハンドル軸４０の端部に、二股片３７を直接押上げまたは押下げてスライドバー３２を上下方向にスライドさせるカム片４４を設ける。【選択図】図２
2010275737.tif 000002
【特許請求の範囲】
【請求項１】
窓枠と、その窓枠の内側開口を開閉する障子を有し、前記障子の開閉側縦框には、内面から見付け方向内側に張り出す上下方向に長い内部中空のパネル保持部と、見付け方向外側に形成された見込み面に上下方向に長く延びるガイド溝を設け、そのガイド溝にスライド自在に挿入されたスライドバーの上端部と下端部それぞれに、前記窓枠の縦枠内面に取付けられた受金具に対して係脱自在とされ、その係合によって障子を閉鎖状態に保持する係合ピンを設け、前記スライドバーの外表面には長さ方向の中央部にスライダを連結し、そのスライダには、スライドバーを貫通して前記ガイド溝の閉塞端壁に形成された縦長孔からパネル保持部の中空部内に先端部が臨む二股片を設け、前記パネル保持部の室内側面に台座を固定し、その台座の室内側面にレバーハンドルを設け、そのレバーハンドルに設けられて前記台座およびパネル保持部の室内側壁を貫通するハンドル軸のパネル保持部の中空部内に位置する端部に、先端部が前記二股片間に配置されるカム片を設け、前記パネル保持部の室内側壁に形成された前記ハンドル軸挿入用の軸挿入孔をカム片と略同形状とし、かつ、カム片が少しの余裕をもって挿入される大きさとしたグレモン錠の取付装置。
【発明の詳細な説明】
【技術分野】
【０００１】
この発明は、縦辷り出し窓や外開き窓のような回転窓の施解錠を行なうグレモン錠の取付装置に関する。
【背景技術】
【０００２】
窓枠の内側に形成された開口を開閉する障子を施錠し、または、解錠するグレモン錠の取付装置として、特許文献１に記載されたものが従来から知られている。
【０００３】
上記グレモン錠の取付装置においては、窓枠の開口を開閉する障子の開閉側縦框に、その内面から見付け方向内方に張り出す内部中空のパネル保持部を設け、そのパネル保持部の室内側壁に操作ハンドルに設けられた回転軸を貫通せしめ、その回転軸のパネル保持部の内側中空部内に位置する端部に取付けられたカムを上記中空部内に取り付けられたケース体で回転自在に支持し、上記カムの回転によりパネル保持部の見付け方向外側に設けられたスライダおよびそのスライダに連結された上下一対のスライドバーを上下動させ、上部スライドバーの上端部および下部スライドバーの下端部それぞれに設けられた係合ピンを窓枠の縦枠内面に固定された錠受けに係合させて障子を施錠するようにしている。
【０００４】
上記グレモン錠の取付装置においては、障子の開放状態において、開閉側縦框の外側からケース体やスライドバーの取付け、取外しを行うことができるため、グレモン錠の組付けや破損した部品の交換を簡単に行なうことができるという特徴を有する。
【先行技術文献】
【特許文献】
【０００５】
【特許文献１】特開２００８−２３１８３２号公報
【発明の概要】
【発明が解決しようとする課題】
【０００６】
ところで、上記従来のグレモン錠の取付装置においては、ハンドル、ケース体、スライダおよび一対のスライドバーからなる部品点数の多い構成であるため、組付けに手間がかかり、しかも、パネル保持部の中空部内にケース体を取付けるようにしているため、障子の開閉側縦框の内部にケース体を組込むためのスペースを確保する必要があり、上記開閉側縦框として見込み方向および見付け方向の幅寸法が大きいものを採用しなければならないという問題がある。
【０００７】
この発明の課題は、開閉側縦框の見込み方向および見付け方向の幅寸法を小さくすることができる部品点数の少ない組付けの容易なグレモン錠の取付装置を提供することである。
【課題を解決するための手段】
【０００８】
上記の課題を解決するため、この発明においては、窓枠と、その窓枠の内側開口を開閉する障子を有し、前記障子の開閉側縦框には、内面から見付け方向内側に張り出す上下方向に長い内部中空のパネル保持部と、見付け方向外側に形成された見込み面に上下方向に長く延びるガイド溝を設け、そのガイド溝にスライド自在に挿入されたスライドバーの上端部と下端部それぞれに、前記窓枠の縦枠内面に取付けられた受金具に対して係脱自在とされ、その係合によって障子を閉鎖状態に保持する係合ピンを設け、前記スライドバーの外表面には長さ方向の中央部にスライダを連結し、そのスライダには、スライドバーを貫通して前記ガイド溝の閉塞端壁に形成された縦長孔からパネル保持部の中空部内に先端部が臨む二股片を設け、前記パネル保持部の室内側面に台座を固定し、その台座の室内側面にレバーハンドルを設け、そのレバーハンドルに設けられて前記台座およびパネル保持部の室内側壁を貫通するハンドル軸のパネル保持部の中空部内に位置する端部に、先端部が前記二股片間に配置されるカム片を設け、前記パネル保持部の室内側壁に形成された前記ハンドル軸挿入用の軸挿入孔をカム片と略同形状とし、かつ、カム片が少しの余裕をもって挿入される大きさとした構成を採用したのである。
【０００９】
ここで、見付け方向とは、室内側から障子を見た際の左右の方向をいい、一方、見込み方向とは、室内外方向である奥行きの方向をいう。
【００１０】
上記の構成からなるグレモン錠の取付装置において、レバーハンドルは、その長手方向が上下方向に延びる位置が施錠位置とされる。その施錠位置において、カム片はスライダの二股片の上部片を押上げる状態にあり、スライドバーに設けられた係合ピンのそれぞれは、窓枠の縦枠内面に取付けられた受金具に係合する施錠状態にあり、障子は閉鎖状態に保持されている。
【００１１】
上記の施錠状態からレバーハンドルを、その長手方向が左右方向に延びる解錠位置に向けて揺動させると、カム片がスライダの二股片の下部片を押下げる。その押下げによりスライドバーが下降し、係合ピンが受金具に対して係合解除して解錠状態となり、障子は自由に開閉し得る状態となる。
【発明の効果】
【００１２】
上記のように、この発明においては、レバーハンドルのハンドル軸にカム片を設け、そのカム片をパネル保持部の室内側壁に形成された軸挿入孔から中空部内に挿入可能とし、そのカム片によってスライダに設けられた二股片を直接押上げまたは押下げてスライダに連結されたスライドバーを上下方向に移動させるようにしたので、従来必要であったカム支持用のケース体を不要とすることができる。このため、部品点数が少なくなり、グレモン錠の組付けの容易化を図ることができる。
【００１３】
また、パネル保持部の中空部にケース体の組込むスペースを確保する必要がないため、開閉側縦框の見付け方向および見込み方向の幅寸法を小さくすることができる。
【図面の簡単な説明】
【００１４】
【図１】この発明に係るグレモン錠取付装置の実施の形態を示す一部切欠正面図
【図２】図１のII−II線に沿った断面図線に沿った断面図
【図３】図２のIII−III線に沿った断面図
【図４】図２のIV−IV線に沿った断面図
【図５】図４のV−V線に沿った断面図
【図６】図１のVI−VI線に沿った断面図
【図７】図６のVII−VII線に沿った断面図
【発明を実施するための形態】
【００１５】
以下、この発明の実施の形態を図面に基づいて説明する。図１は、縦辷り出し窓を示す。この縦辷リ出し窓は、方形状の窓枠１と、その窓枠１の内側開口を開閉する障子１１とからなる。
【００１６】
窓枠１は、対向一対の縦枠２、２の上端部間および下端部間に上枠３および下枠４を渡した四辺形枠からなる。一方、障子１１は、ガラスパネル１２の外周を縁枠１３で覆った構成とされ、その縁枠１３は、対向一対の縦框１４ａ、１４ｂと、その一対の縦框１４ａ、１４ｂの上部間に渡された上框１５および一対の縦框１４ａ、１４ｂの下端部間に渡された下框１６を有している。
【００１７】
障子１１は、一方の縦框１４ａが室外側に開くように図示省略した窓用ステーを介して開閉自在に支持されている。また、障子１１は、グレモン錠３０を施錠することによって閉鎖状態に保持され、また、グレモン錠３０を解錠することにより開放し得るようになっている。
【００１８】
図２は、障子１１の開閉側縦框１４ａを示す。この開閉側縦框１４ａは中空部１７を有し、見付け方向の内面には、その見付け方向内側に張り出して開閉側縦框１４ａの内面室外側に取付けられる押縁１８との間にガラスパネル１２の側部が嵌合可能な嵌合凹部１９を形成する内部中空のパネル保持部２０が設けられている。
【００１９】
また、開閉側縦框１４ａの見付け方向外側の見込み面２１に上下方向に長く延びるガイド溝２２が設けられている。ガイド溝２２の開口部には内方に向く突出部２３が形成されている。また、ガイド溝２２の閉塞端壁には、上下方向の略中央部に縦長孔２４が形成されている。
【００２０】
図１に示すように、グレモン錠３０は、レバーハンドル３１の揺動によりスライドバー３２を昇降動させ、そのスライドバー３２の上下両端部に設けた係合ピン３３を窓枠１の一方の縦枠２の内面上下に取り付けられた受金具３４に係脱させ、その係合により障子１１を閉鎖状態に保持するようにしている。
【００２１】
図２および図３に示すように、スライドバー３２は、ガイド溝２２内にスライド自在に嵌合され、その外表面における長さ方向の中央部には板状のスライダ３５が衝合されてねじ３６の締付けによりスライドバー３２に連結されている。
【００２２】
スライダ３５には、スライドバー３２と衝合する面に二股片３７が設けられている。二股片３７はスライドバー３２に形成された開口３８から前記ガイド溝２２の閉塞端壁に形成された縦長孔２４内にスライド自在に嵌合されて、先端部がパネル保持部２０の内側中空部１７内に臨んでいる。
【００２３】
図６に示すように、受金具３４は平面Ｌ形をなし、その屈曲部が室外側に向くようにして縦枠２の内面にねじ止めされ、上記受金具３４の先端に対する係合ピン３３の係合により、障子１１を閉鎖状態に保持するようになっている。
【００２４】
図２乃至図５に示すように、レバーハンドル３１は、パネル保持部２０の室内側面にねじ止めされた台座３９の室内側面に配置されている。このレバーハンドル３１はハンドル軸４０を端部に有し、そのハンドル軸４０は台座３９に形成された軸挿入孔４１内に挿通されて回転自在に支持され、止め輪４２の取付けにより抜け止めされている。
【００２５】
また、ハンドル軸４０は、パネル保持部２０の室内側壁に形成された軸挿入孔４３内に挿入され、上記パネル保持部２０の中空部１７内に位置する端部には先端部が二股片３７間に配置されるカム片４４が設けられている。
【００２６】
ここで、パネル保持部２０の室内側壁に形成された軸挿入孔４３はカム片４４と略同形状とされて、その軸挿入孔４３からパネル保持部２０の中空部１７内にカム片４４を挿入し得るようになっている。
【００２７】
図５に示すように、ハンドル軸４０の外周には突起部４５が設けられ、その突起部４５は台座３９の軸挿入孔４１の内周に形成された円弧状の切欠部４６内に配置され、上記切欠部４６の周方向両端に当接する範囲内においてレバーハンドル３１が揺動し得るようになっており、その切欠部４６の一端に突起部４５が当接する状態で、レバーハンドル３１は、図１の実線で示すように、その長さ方向が上下方向に延びる状態に停止保持される。その停止位置がレバーハンドル３１の施錠位置である。
【００２８】
また、切欠部４６の他端に突起部４５が当接する状態で、レバーハンドル３１は、図１の鎖線で示すように、その長さ方向が左右に延びる状態に停止保持される。その停止位置がレバーハンドル３１の解錠位置である。
【００２９】
実施の形態で示すグレモン錠の取付装置は上記の構造からなり、グレモン錠３０の組付けに際しては、障子１１を開放し、開閉側縦框１４ａのパネル保持部２０に形成された軸挿入孔４３に予め組立てられたレバーハンドル３１と台座３９の組立品のカム片４４を挿入し、その組立品の回転により台座３９の向きを調整して、その台座３９をパネル保持部２０にねじ止めする手段によって固定する。
【００３０】
また、開閉側縦框１４ａの外側からガイド溝２２内にスライドバー３２を挿入し、そのスライドバー３２に形成された開口３８がガイド溝２２の閉塞端壁に形成された縦長孔２４と対向するようスライドバー３２を上下方向に位置調整し、その調整後、開閉側縦框１４ａの外側から連通状態にある開口３８と縦長孔２４内にスライダ３５の二股片３７を挿入し、上記スライダ３５の上下両端部をスライドバー３２にねじ止めする手段を介して連結する。
【００３１】
上記のようにして、スライダ３５を連結すると、カム片４４の先端部がスライダ３５の二股片３７間に臨む状態となる。スライドバー３２およびスライダ３５の組付け後、窓枠１の縦枠２内面に一対の受金具３４を、上記スライドバー３２に設けられた係合ピン３３に対応して固定する。
【００３２】
上記のようなグレモン錠３０の組付け後において、障子１１を閉鎖し、レバーハンドル３１を施錠位置に向けて揺動させると、カム片４４がスライダ３５の二股片３７の上部片を押上げる。その押上げにより、スライドバー３２が上方にスライドして、図６に示すように、係合ピン３３が受金具３４に係合し、障子１１は閉鎖状態に保持される。
【００３３】
図１に示す障子１１の閉鎖状態から、レバーハンドル３１を解錠位置に向けて揺動させると、カム片４４がスライダ３５の二股片３７の下部片を押下げる。その押下げによりスライドバー３２が下方に向けてスライドし、係合ピン３３が受金具３４に対して係合解除して解錠状態となり、障子１１は自由に開閉し得る状態となる。
【００３４】
実施の形態で示すグレモン錠の取付装置においては、レバーハンドル３１のハンドル軸４０に設けられたカム片４４をパネル保持部２０の室内側壁に形成された軸挿入孔４３から中空部１７内に挿入可能とし、そのカム片４４によってスライダ３５に設けられた二股片３７を直接押上げまたは押下げてスライダ３５に連結されたスライドバー３２を上下方向にスライドさせるようにしたので、従来必要であったカム支持用ケース体を不要とすることができる。このため、部品点数が少なくなり、グレモン錠３０を簡単に組付けることができる。
【００３５】
また、パネル保持部２０の中空部にケース体の組込むスペースを確保する必要がないため、開閉側縦框１４ａを従来の開閉側縦框より、見付け方向および見込み方向の幅寸法を小さくすることができる。
【符号の説明】
【００３６】
１      窓枠
１１    障子
１４ａ  開閉側縦框
２０    パネル保持部
２１    見込み面
２２    ガイド溝
２４    縦長孔
３１    レバーハンドル
３２    スライドバー
３３    係合ピン
３４    受金具
３５    スライダ
３７    二股片
３９    台座
４０    ハンドル軸
４３    軸挿入孔
４４    カム片
【図１】
2010275737.tif 000003
【図２】
2010275737.tif 000004
【図３】
2010275737.tif 000005
【図４】
2010275737.tif 000006
【図５】
2010275737.tif 000007
【図６】
2010275737.tif 000008
【図７】
2010275737.tif 000009